(57)【要約】      （修正有）【課題】歯科医師に、患者に装着した入歯の噛み合わせの客観的な評価スコアを示し均一的な診断を容易にする入歯診断システムを提供する。【解決手段】脳波計１０により入歯を装着した患者の脳波を計測し、その脳波情報をケーブルで接続されたパソコン２０へ送信する。パソコン２０は、送られてきた脳波情報をサンプリングで統計的に導かれた判定指標２７と比較することで評価スコアを計算し、画面に表示する。又、算出した評価スコアは、計測情報と共に診断履歴として記憶部２２に記憶され、治療の時系列推移として確認することができる。【選択図】図１
2011167271.tif 000002
【特許請求の範囲】
【請求項１】
入歯を装着した患者の脳波情報に基づいて入歯の噛み合わせの診断を行う診断用処理装置を具備し、上記脳波情報を基に計算した測定値を客観的な判定指標と比較することで入歯の噛み合わせの評価判定手段を行う診断パソコンを具備する、入歯診断システム。
【請求項２】
前記判定手段は、前頭前野の脳活動の活発さが現れるα波及びβ波の発生度合い分布のグラフ形状から判定する脳の清明度と、前頭前野の行動と意識活動に関係する思考活動値の発生分布のグラフ形状から判定する思考活動度の２つのスコアでの判定を特徴とする、「請求項１」の入歯診断システム。
【請求項３】
前記判定手段は、脳の清明度として、α％（α波、β波を含む全体脳波に含まれるα波の割合）の最大値、β％（α波、β波を含む全体脳波に含まれるβ波の割合）の最大値、α％とβ％の最大値の間隔、α％の面積、β％の面積の５項目、思考活動度として、（β波／α波）の平均値、（β波／α波）の最大値、（β波／α波）の面積の３項目について、脳波計から送られてきた脳波を基に計算した各項目の計算値と、診断パソコン内に予め設定されている各項目の判定指標との乖離率に、同じく診断パソコン内に予め設定されているその項目の重要度の割合（重み）を乗じて導き出される各項目のスコアを集計し、診断パソコン内に予め設定されている脳の清明度と思考活動度の各及第スコアとの比較で判定することを特徴とする、「請求項１」の入歯診断システム。
【請求項４】
前記診断用処理装置は、脳波計からの脳波データを受信する受信手段と、受信した脳波データを診断パソコン内に取り込む取込手段と、取り込んだ脳波データをグラフ表示する表示装置と、脳波計測時の事象（ノッチ）を入力する入力手段と、脳波データを基に計算した前記各項目の測定値を判定指標と比較することでスコアを計算する判定手段と、脳波データと算出スコアをデータベースに記憶する手段と、脳波データと算出スコアを印刷する印刷手段と、スコアの時系列推移を表示する表示手段と、脳波データ及び算出スコアからなる計測データを格納する記憶装置からなることを特徴とする、「請求項１」の入歯診断システム。
【請求項５】
コンピュータを、脳波計からの脳波データを受信する受信手段と、受信した脳波データに基づいて計算した値を予め設定されている判定指標と比較することで算出する入歯の噛み合わせのスコアによる判定手段として機能させるためのプログラム。
【発明の詳細な説明】
【技術分野】
【０００１】
本発明は、歯科医における入歯の噛み合わせの均一的診断を可能とする入歯診断システムに関する。
【背景技術】
【０００２】
入歯の噛み合わせについては、客観的な共通のものさしが無く、歯科医の主観的な判断に委ねるところが大きく、その結果、歯科医の知識や経験、技術による「ばらつき」があり、患者にとっては歯科医を選ぶことが最も重要で、且つ最も苦痛な事項となっている。又、噛み合わせの悪さは、体全体に機能に関係する自律神経や、臓器や組織の動きをつかさどる脊髄神経にまで悪影響を及ぼし、歯と関係ないようなところも不調をきたすことがある。
【先行技術文献】
【特許文献】
【０００３】
【特許文献１】特開２００１−１６１６５２号
【特許文献２】特開平０５−２５３２４８号
【発明の概要】
【発明が解決しようとする課題】
【０００４】
本発明の目的は、歯科医の知識や経験、技術による入歯診断の「ばらつき」を減らし、客観的な定量的スコアでの評価が可能な入歯診断システムを提供することである。
本発明の他の目的は、噛み合わせの改善により、予防医学に寄与できる入歯診断システムを提供することである。
本発明のさらに他の目的は、入歯を必要とする患者から、「歯科医選び」や「治療結果に対する不安」等の苦痛を取り除く入歯診断システムを提供することである。
【課題を解決するための手段】
【０００５】
本発明に係る入歯診断システムは、脳波計から送られてきた脳波情報に基づいて診断を行う診断用処理装置を具備し、上記診断用処理装置は、脳波計からの脳波データを受信する受信手段と、受信した脳波データを診断パソコン内に取り込む取込手段と、取り込んだ脳波データに基づいて計算された計測値を表示する表示装置と、脳波計測時の事象（ノッチ）を入力する入力手段と、上記計測値を判定指標と比較することでスコアを計算する判定手段と、上記計測値と上記スコアを記憶する手段と、上記計測値をグラフ表示する表示手段と、上記計測値と上記スコアを印刷する印刷手段と、判定スコアの時系列推移を表示する表示手段と、上記計測値及び上記スコアからなる計測データを格納する記憶装置からなることを特徴とする。
【０００６】
以下に、（発明を実施するための形態）で使用する符号を付して、課題を解決するための手段を記載する。
【０００７】
本発明のパソコン（２０）は、携帯型脳波計（１０）で計測された脳波情報を受信する通信部（２５）と、上記脳波のグラフや評価スコアを表示する表示部（２４）と、上記脳波の計測時の事象（ノッチ）を入力する入力部（２３）と、上記記録や判定指標、システムの設定値、および患者の基本情報を格納する記憶部（２２）と、脳波情報から入歯の噛み合わせを判定する計測データ判定手段（３４）を含む診断情報処理プログラム（３０）を実行する演算部（２１）と、を具備する。
【０００８】
本発明のパソコン（２０）が実行する診断情報処理プログラム（３０）は、携帯型脳波計（１０）内の脳波データを受信するプログラムを起動する受信プログラム起動手段（３１）を備える。
【０００９】
本発明のパソコン（２０）が実行する診断情報処理プログラム（３０）は、受信した脳波データを患者情報（２６）と結びつけ、記憶部（２２）内のデータベースに格納する計測データ取込手段（３２）を備える。
【００１０】
本発明のパソコン（２０）が実行する診断情報処理プログラム（３０）は、取得した脳波計測時の事象（ノッチ）入力をグラフ上で行うノッチ入力手段（３３）を備える。
【００１１】
本発明のパソコン（２０）が実行する診断情報処理プログラム（３０）は、取得した脳波データに基づいて計算された計測値と判定指標情報（２７）とを比較しスコア計算を行う計測データ判定手段（３４）を備える。
【００１２】
本発明のパソコン（２０）が実行する診断情報処理プログラム（３０）は、上記計測値と上記スコアを記録する計測データ記憶手段（３５）を備える。
【００１３】
本発明のパソコン（２０）が実行する診断情報処理プログラム（３０）は、取得した計測データから５種類のグラフの表示を行う計測データ表示手段（３６）を備える。
【００１４】
本発明のパソコン（２０）が実行する診断情報処理プログラム（３０）は、取得した計測データから５種類のグラフと上記スコアの印刷を行う計測データ印刷手段（３７）を備える。
【００１５】
本発明のパソコン（２０）が実行する診断情報処理プログラム（３０）は、過去に取得した計測データから判定結果（評価スコア）の時系列推移グラフを表示する判定推移表示手段（３８）を備える。
【００１６】
本発明のパソコン（２０）が実行する診断情報処理プログラム（３０）は、診断情報処理プログラム（３０）が使用する患者情報（２６）、設定情報（２９）の登録や変更を行うマスタ登録手段（３９）を備える。
【００１７】
本発明のパソコン（２０）が記憶する患者情報（２６）は、患者コード、患者氏名、誕生日、性別を含む。
【００１８】
本発明のパソコン（２０）が記憶する判定指標情報（２７）は、脳の清明度と思考活動度の判定に利用する以下の項目の、各理想値と、その項目の重要度の割合（重み）を含む。
（脳の清明度）：α％、β％ヒストグラムにおける以下の５項目
１α％（α波、β波を含む全体脳波に含まれるα波信号の割合）の最大値
２β％（α波、β波を含む全体脳波に含まれるβ波信号の割合）の最大値
３α％、β％の最大値の間隔
４α％の面積
５β％の面積
（思考活動度）：β／αヒストグラムにおける以下の３項目
１β波／α波 の平均値
２β波／α波 の最大値
３β波／α波 の面積
これらの判定指標は、本発明用に実際にサンプリングした患者データを基に歯科医によって独自に導かれた指標であり、暗号化処理され記憶されている。
【００１９】
本発明のパソコン（２０）が記憶する計測情報（２８）は、計測時毎の計測日時、計測した脳波データ、入力したノッチ情報、及び判定した評価スコアを含む。計測情報（２８）は、患者情報と紐付けされた計測データとして、時系列的に記憶される。
【００２０】
本発明のパソコン（２０）が記憶する設定情報（２９）は、本システムを使用する歯科医院情報、２つの評価スコアの及第点、スコア表示時の背景色、各グラフの色や線幅や線種、ノッチの項目情報を含む。
【発明の効果】
【００２１】
以上詳記したように、本発明によれば、歯科医の知識や経験、技術による入歯診断の「ばらつき」が減り、客観的な定量的スコアでの評価が可能となり、患者に納得と安心の判断材料を、又、歯科医に治療完了の判断材料を示すことができる。さらに、噛み合わせの改善による予防医学への寄与も期待できる。
【図面の簡単な説明】
【００２２】
【図１】図１は、本発明で使用される入歯診断システムの構成を示す。
【図２】図２は、入歯診断システムの機能ブロック図を示す。
【図３】図３は、入歯診断システムの操作フローを示す。
【図４】図４は、評価スコアの算出式を示す
【図５】図５は、評価スコアの算出フローを示す。
【図６】図６は、計測した脳波データを判定評価した結果の表示画面の例を示す。
【図７】図７は、計測した脳波データのグラフ表示画面の例を示す。
【図８】図８は、計測した脳波データのグラフと判定結果の印刷の例を示す。
【図９】図９は、今までに判定した評価スコアの時系列推移画面の例を示す。
【発明を実施するための形態】
【００２３】
本発明の入歯診断システムは、入歯を装着した患者の脳波を計測する携帯型脳波計１０と、携帯型脳波計１０と通信してその患者の脳波データを取得し、入歯の噛み合わせの診断とデータ処理を行う診断パソコン２０と、その診断結果とデータ処理した結果を印刷するカラープリンタ４０を含む。
【００２４】
図１に本発明で使用される入歯診断システムの構成が示される。入歯診断システムは、携帯型脳波計１０、診断パソコン２０、カラープリンタ４０を含む。携帯型脳波計１０と診断パソコン２０、カラープリンタ４０と診断パソコン２０はそれぞれケーブルで接続される。
【００２５】
携帯型脳波計１０は、脳波を計測できる携帯型脳波計である。数値化したα波とβ波の信号を診断パソコン２０にケーブルを介して送信する。
【００２６】
診断パソコン２０は、演算部２１、記憶部２２、入力部２３、表示部２４、通信部２５を具備する。演算部２１は、ＣＰＵとメモリを具備する演算装置である。演算部２１では、受信プログラム起動手段３１、計測データ取込手段３２、ノッチ入力手段３３、計測データ判定手段３４、計測データ記憶手段３５、計測データ表示手段３６、計測データ印刷手段３７、判定推移表示手段３８、マスタ登録手段３９を含む診断情報処理プログラム３０が実行される。
【００２７】
受信プログラム起動手段３１は、携帯型脳波計内の脳波データを受信するプログラムを起動する。起動された受信プログラムが正常に終了した後は、診断情報処理プログラム３０に自動的に戻る。計測データ取込手段３２は、受信した脳波データを患者情報２６と結びつけ、記憶部２２内のデータベースに格納する。ノッチ入力手段３３は、グラフ化された計測データ上で、計測時に影響を与えた事象（ノッチ）をグラフ上でマウスによりマークし、その事象内容を入力することができる。入力された事象の有り無しはグラフ上に罫線として表示され、その罫線にマウスポインタを合わせることで、入力した事象内容が表示される。計測データ判定手段３４は、受信した脳波データに基づいて計算した値を予め設定されている判定指標情報２７とを比較し、評価スコアの計算を行う。評価スコアは、前頭前野の脳活動の活発さが現れるα波及びβ波の発生度合い分布のグラフ形状（α％，β％ヒストグラム）から判定する「脳の清明度」と、前頭前野の行動と意識活動に関係する思考活動値の発生分布のグラフ形状（β／αヒストグラム）から判定する「思考活動度」の２つである。「脳の清明度」については、一般的にα波及びβ波のグラフがきれいな山型で、左右に明確に分かれている時に前頭前野の脳活動が高いといわれる。又、「思考活動度」については、一般的にグラフの頂点が右にあるほど脳の活性度が高いといわれる。従って、２つの評価スコアは、以下に記された項目について、脳波計から送られてきた脳波から計算した各項目の測定値と、診断パソコン内に予め設定されている各項目の理想値との乖離率に、同じく診断パソコン内に予め設定されている各項目の重要度の割合（重み）を乗じて導き出される各項目のスコアを、脳の清明度のスコアとして５項目分、思考活動度のスコアとして３項目分集計した値とする。
Ａ（脳の清明度）：α％，β％ヒストグラムにおける以下の５項目
１α％（α波、β波を含む全体脳波に含まれるα波信号の割合）の最大値
２β％（α波、β波を含む全体脳波に含まれるβ波信号の割合）の最大値
３α％、β％の最大値の間隔
４α％の面積
５β％の面積
Ｂ（思考活動度）：β／αヒストグラムにおける以下の３項目
１β波／α波 の平均値
２β波／α波 の最大値
３β波／α波 の面積
乖離率は、１−（│理想値 − 測定値│／ 理想値 ）で計算する。すなわち、理想値と計測値との差異の絶対値を理想値で除し、１から減する。例えば、理想値が１０で測定値が８の場合は、１−（２÷１０）で０．８となる。各項目のスコアは、乖離率× 項目の重み  で計算する。脳の清明度、思考活動度ともに項目の重みの合計は１００となるように設定されている。上記例で、項目の重みが６０の場合のスコアは、０．８×６０で４８点となる。前記計算式に示されるように、スコアは理想値に近いほど高く、理想値からかけ離れるほど低くなる。但し、測定値が理想値と２倍以上にかけ離れる場合は、その項目のスコアは０（ゼロ）とする。又、項目の重みが大きいほど高くなり、項目の重みが小さい項目は、理想値に近くても低くなる。図４に評価スコアの計算式が示される。評価項目毎の理想値と重みの判定指標ｉは、本発明用に実際にサンプリングした患者データを基に歯科医によって独自に導かれた指標であり、診断パソコン内に判定指標情報（２７）として暗号化処理され予め記憶されている。計測値Ｍは、脳波計から送られてきた脳波で計算した評価項目毎の計測値である。全部で前記８つの評価項目の値で、脳の清明度Ａと思考活動度Ｂのスコアを算出する。Ａｓは脳の清明度のスコアを導く為の５つの評価項目のスコアであり、それぞれ前記計算式で各スコア（Ｓ１〜Ｓ５）が算出され、これらＳ１〜Ｓ５を集計した値が脳の清明度のスコアＡである。又、Ｂｓは思考活動度のスコアを導く為の３つの評価項目のスコアであり、それぞれ前記計算式で各スコア（Ｓ６〜Ｓ８）が算出され、これらＳ６〜Ｓ８を集計した値が思考活動度のスコアＢである。図５に評価スコアの算出フローが示される。Ｆ１からＦ６のステップは脳の清明度のスコアを算出するフローである。先ずα％の最大値のスコアを（Ｆ１）、β％の最大値のスコアを（Ｆ２）、α％とβ％の最大値間隔のスコアを（Ｆ３）、α％の面積のスコアを（Ｆ４）、β％の面積のスコアを（Ｆ５）それぞれ上記計算式で算出する。この際、測定値が理想値と２倍以上にかけ離れる場合は、その項目のスコアは０（ゼロ）として計算する。５つのスコアが全て算出されたら、それら５つのスコアを加算した値が脳の清明度のスコアである（Ｆ６）。又、Ｆ７からＦ１０のステップが思考活動度のスコアを算出するフローである。先ずβ波／α波の平均値のスコアを（Ｆ７）、β波／α波 の最大値のスコアを（Ｆ８）、β波／α波の面積のスコアを（Ｆ９）それぞれ上記計算式で算出する。この際、測定値が理想値と２倍以上にかけ離れる場合は、その項目のスコアは０（ゼロ）として計算する。３つのスコアが全て算出されたら、それら３つのスコアを加算した値が思考活動度のスコアである（Ｆ１０）。算出されたスコアについては、脳の清明度を表すα％，β％ヒストグラム、および思考活動度を表すβ／αヒストグラムと共に画面に表示される。図６にその表示画面の一例が示される。画面は、脳の清明度を表すα％，β％ヒストグラムと、思考活動度を表すβ／αヒストグラムの２種類があり、それぞれに、その数値とグラフ、算出されたスコア、前記各評価項目のスコア明細が表示される。前記各評価項目のスコアについては判り易いように図解で表示される。評価スコアの背景色を設定情報２９のスコア範囲毎の色設定で変えることにより、治療合否を判りやすく表示できる。例えば、５０ポイント未満は赤、５０〜７０ポイント未満は黄色、７０ポイント以上は及第点として緑とかである。２つの評価画面の切り替えは画面上のボタンをクリックすることで行う。この患者の以前の計測情報が登録されている場合は、前データのボタンをクリックすることで前回の判定結果画面に画面表示を切り替えることができる。又、誤って取り込んだ計測情報は、この画面の削除ボタンによりデータベースから削除する事ができる。さらに、判定で使用される判定指標情報２７の内容（理想値又は重み）が修正された場合は、再読込ボタンにより以前の計測データの評価スコアを最新の判定指標で再計算することも可能である。計測データ表示手段３６は、取得した計測データから５種類のグラフの表示を行う。５種類のグラフとは、Ｓ波，α波，β波の時系列数値グラフ、α波，β波の時系列発生率グラフ、α波，β波の発生分布グラフ（α％，β％ヒストグラム）、思考活動値の時系列数値グラフ、思考活動値の発生分布グラフ（β／αヒストグラム）である。図７にその表示画面の一例が示される。Ｓ波とはα波，β波を含む全体脳波信号である。各グラフの切り替えは画面上のボタンをクリックする事で行う。グラフ表示と共にその数値も表示される。又、Ｓ波，α波，β波の時系列数値グラフ、α波，β波の時系列発生率グラフ、思考活動値の時系列数値グラフにおいては、範囲を指定しての拡大表示を可能とする。具体的には、範囲指定ボタンをクリック後にグラフ上をドラッグアンドドロップする事で拡大表示の範囲を指定し、再度範囲指定ボタンをクリックすると指定した範囲が拡大表示される。再度全体表示に戻す場合は再読込ボタンをクリックする。さらに、この患者の別の計測情報が登録されている場合は、前データ又は次データのボタンをクリックすることで前回又は次回の計測データ表示に画面表示を切り替えることができる。計測データ印刷手段３７は、患者情報と共に、取得した計測データから上記５種類のグラフと判定結果（スコア）の印刷をカラープリンタ４０で行う手段である。図８にその印刷例が示される。Ａ４用紙一枚に集約して印刷することでカルテと一緒に保管することができる。判定推移表示手段３８は、今までに記憶した計測データから判定結果（スコア）の時系列推移グラフを表示する機能である。推移グラフは上記Ａ（脳の清明度）と上記Ｂ（思考活動度）の２つのスコアの推移である。図９にその表示画面の一例が示される。２つのグラフの切り替えは画面上のボタンをクリックすることで行う。グラフ表示と共にその数値も表示される。又、グラフ上には治療合否判断の参考として設定情報２９で設定された及第点のラインも表示される。歯科医はこの及第ラインに到達するまで入歯の調整を行い、このラインに到達した時点で治療はひとまず終了と判断する。さらに、計測日を選択し表示ボタンをクリックすることで、その計測データの前記５種類のグラフや各評価項目のスコアを表示することができる。表示範囲（計測日時や表示計測数）を画面から指定して表示の範囲を変更する事もできる。マスタ登録手段３９は、診断情報処理プログラ���３０が使用する患者情報２６、設定情報２９の登録や変更を行う機能である。
【００２８】
記憶部２２は、ハードディスクに例示される記憶装置である。記憶部２２は、診断情報処理プログラム３０により参照される患者情報２６、判定指標情報２７、設定情報２９、及び診断情報処理プログラム３０により作成された計測情報２８が記憶される。
【００２９】
本発明のパソコン２０が記憶する患者情報２６は、患者コード、患者氏名、誕生日、性別を含む。
【００３０】
本発明のパソコン２０が記憶する判定指標情報２７は、脳の清明度と思考活動度の判定に利用する以下の項目の、その項目の重要度の割合（重み）を含む。
（脳の清明度）：α％、β％ヒストグラムにおける以下の５項目
１α％（α波、β波を含む全体脳波に含まれるα波信号の割合）の最大値
２β％（α波、β波を含む全体脳波に含まれるβ波信号の割合）の最大値
３α％、β％の最大値の間隔
４α％の面積
５β％の面積
（思考活動度）：β／αヒストグラムにおける以下の３項目
１β波／α波 の平均値
２β波／α波 の最大値
３β波／α波 の面積
これらの判定指標は、本発明用に実際にサンプリングした患者データを基に歯科医によって独自に導かれた指標であり、暗号化処理され記憶されている。
【００３１】
本発明のパソコン２０が記憶する計測情報２８は、計測時毎の計測日時、計測した脳波データ、入力したノッチ情報、及び判定した評価スコアを含む。計測情報２８は、患者情報と紐付けされた計測データとして、時系列的に記憶される。
【００３２】
本発明のパソコン２０が記憶する設定情報２９は、本システムを使用する歯科医院情報、２つの評価スコアの及第点、スコア表示時の背景色、各グラフの色や線幅や線種、ノッチの項目情報を含む。
【００３３】
入力部２３は、キーボード、マウスもしくはパネルタッチによる入力装置に例示される。表示部２４は、ディスプレイ装置に例示される。入力部２３及び表示部２４は、診断パソコン２０のオペレータが診断パソコン２０を操作する場合も利用する。通信部２５は、ケーブルを介して携帯型脳波計１０と脳波データの送受信を行う通信装置である。
【００３４】
カラープリンタ４０は、インクジェットプリンタに例示される印刷装置である。
【００３５】
図２に上記診断情報処理プログラム３０の機能ブロック図が示される。脳波計５０から送信される脳波データは脳波データ受信手段５１で受信され、計測データ取込手段５２に渡される。計測データ取込手段５２は、脳波データとマスタ登録手段５９で登録された患者情報とを結びつけデータベースに格納する。格納された計測データは計測データ判定手段５４により、予め記憶されている判定指標情報６０と比較されスコアが算出される。スコアという形で定量的に判定された判定情報は、ノッチ入力手段５３で入力された計測時に影響を与えた事象（ノッチ）とともに計測データ記憶手段５５でデータベースに記録される。記憶された計測データ及び判定情報から、計測データ表示手段５６で５種類のグラフとスコアが表示装置上に表示される。又、記憶された計測データ及び判定情報から、計測データ印刷手段５７で５種類のグラフの表示とスコアが印刷装置上に印刷される。さらに、今までに記憶した計測データと判定情報からスコアの時系列推移グラフが判定推移表示手段５８で表示装置上に表示される。
【００３６】
次に、図３を参照して入歯診断システムの一形態のフローが説明される。
図３に示されるように入歯診断システムの機能フェーズは４つに分けられる。脳波計からの計測データ取得（フェーズＡ）、計測データの判定評価（フェーズＢ）、計測時の事象入力（フェーズＣ）、計測データ及びスコアの表示／印刷（フェーズD）である。通常は、フェーズＡからフェーズＢ、フェーズC、フェーズＤの順に実施されるが、フェーズＤについては記憶された計測データからの画面表示と印刷フェーズであるので、随時、見たい又は印刷したい患者を選択して実施する事ができる。又、フェーズＣについては計測時に影響を与えた事象（ノッチ）があった場合のみ実施する。さらに、フェーズＢで使用される判定指標情報２７の内容（理想値又は重み）が修正された場合は、フェーズＢを再実施する事により評価スコアの再計算を行うことも可能である。
【００３７】
先ずオペレータは診断パソコン２０で診断情報処理プログラム３０を起動する。診断情報処理プログラム３０が起動されると初期メニューが表示される。初期メニューには、患者を選択する欄と、脳波データ受信手段３１、計測データ判定手段３４、計測データ表示手段３６、判定推移手段３８、マスタ登録手段３９の各機能ボタンが一覧として表示されている。計測データ判定手段３４、計測データ表示手段３６、判定推移手段３８については、初期メニュー以外からでもそれぞれの画面間で自由に遷移する事もできる。計測データ印刷手段３７については、計測データ表示手段３６の画面より印刷ボタンで起動する。
【００３８】
次にオペレータは、今から処理する患者を初期メニュー上で選択する。既に患者情報２６に登録されている患者についてはその患者コードを入力する。患者コードが分からない患者については検索ボタンをクリック後、患者名で検索して選択する。初めての患者については、先にマスタ登録手段３９を初期メニューから起動し、患者マスタ登録後に選択する。
【００３９】
患者の選択が終わったら初期メニューより脳波データ受信のボタンをクリックし受信プログラムを起動する（Ａ１）。受信プログラムが起動されると受信メニューが表示される。受信メニュー内の受信ボタンをクリックすることで脳波計と通信を行い、脳波計から送信される全ての脳波データを受信し、記憶部２２に一時的に仮登録する（Ａ２）。脳波計には測定した脳波データが複数件蓄積されている事もある。全ての脳波データの受信が終了したら受信メニューの終了ボタンをクリックして受信プログラムを終了する。
【００４０】
受信が正常に終了した場合は自動的に計測データ取込手段が起動され、取込画面が表示される。受信が失敗した場合は取込画面が表示されず初期メニューに戻るので、オペレータは受信プログラムの起動（Ａ１）からやり直す。取込画面には今回受信した脳波データの一覧が表示され、オペレータは今回診断したい脳波データを選択し取込開始ボタンをクリックすることで、計測情報２８として記憶部２２に登録される（Ａ３）。複数の脳波データを取り込みたい場合は、複数選択する事も、さらに一括選択も可能である。
【００４１】
取込が終了すると今回取り込まれた脳波データが自動的に評価判定され、その結果が画面に表示される（Ｂ１）。この判定手段については、図４及び図５の説明で前記したとおりである。図６に判定結果画面の例が示される。画面は、脳の清明度を表すα％，β％ヒストグラムと、思考活動度を表すβ／αヒストグラムの２種類があり、それぞれに、その数値とグラフ、前記計算式で算出された評価スコア、各評価項目のスコア明細が表示される。各評価項目のスコアについては判り易いように図解で表示される。評価スコアの背景色を設定情報２９のスコア範囲毎の色設定で変えることにより、治療合否を判りやすく表示できる。例えば、５０ポイント未満は赤、５０〜７０ポイント未満は黄色、７０ポイント以上は及第点として緑とかである。２つの評価画面の切り替えは画面上のボタンをクリックすることで行う。この患者の以前の計測情報が登録されている場合は、前データのボタンをクリックすることで前回の判定結果画面に画面表示を切り替えることができる。又、誤って取り込んだ計測情報は、この画面の削除ボタンによりデータベースから削除する事ができる。さらに、判定で使用される判定指標情報２７の内容（理想値又は重み）が修正された場合は、再読込ボタンにより以前の計測データの評価スコアを最新の判定指標で再計算することも可能である。
【００４２】
脳波計測時に影響を与えた事象（ノッチ）は、Ｓ波，α波，β波の時系列数値グラフ上でマウスにより事象発生時刻座標をマークしその事象内容を入力する（Ｃ１）。このフェーズについては計測時に影響を与えた事象があった場合のみ実施する。具体的には、グラフの任意の箇所をマウスでクリックすると、クリックされた時刻に最も近い脳波データが選択され、その位置に罫線が表示されると同時にノッチ設定画面が開く。ノッチの設定はノッチ設定画面の選択ボックスから設定内容を選択し、設定ボタンをクリックすることで行う。設定可能な事象項目はノッチマスタとして設定情報２９に登録されている。例えば、「接触した」とか「動いた」とか「大きな音がした」とかである。入力された事象の有り無しはグラフ上に罫線として表示され、その罫線にマウスポインタを合わせることで入力した事象内容が確認できる。設定したノッチの削除はノッチ設定画面を開いて削除ボタンをクリックする事で行う。又、個別に削除をしないで全解除ボタンをクリックする事で一括で全てのノッチを削除する事もできる。この事象は直接には評価スコアに影響を与えないが、異常な脳波の乱れの原因として歯科医における診断の参考となる。
【００４３】
計測データは、オペレータの指示により、グラフとして画面表示したり、カルテ添付用に印刷したり、今までの治療推移としての評価スコアの時系列推移をグラフ表示したりする事ができる（フェーズＤ）。このフェーズについては記憶された計測データからの画面表示と印刷フェーズであるので、随時、見たい又は印刷したい患者を選択して実施する事ができる。
【００４４】
初期メニューの計測データ表示ボタンをクリックすると、計測データはグラフとして処理され、５種類のグラフとして表示される（Ｄ１）。５種類のグラフとは、Ｓ波，α波，β波の時系列数値グラフ、α波，β波の時系列発生率グラフ、α波，β波の発生分布グラフ（α％，β％ヒストグラム）、思考活動値の時系列数値グラフ、思考活動値の発生分布グラフ（β／αヒストグラム）である。図７にその表示画面の一例が示される。各グラフの切り替えは画面上のボタンをクリックする事で行う。グラフ表示と共にその数値も表示される。又、Ｓ波，α波，β波の時系列数値グラフ、α波，β波の時系列発生率グラフ、思考活動値の時系列数値グラフにおいては、範囲を指定しての拡大表示を可能とする。具体的には、範囲指定ボタンをクリック後にグラフ上をドラッグアンドドロップする事で拡大表示の範囲を指定し、再度範囲指定ボタンをクリックすると指定した範囲が拡大表示される。再度全体表示に戻す場合は再読込ボタンをクリックする。さらに、この患者の別の計測情報が登録されている場合は、前データ又は次データのボタンをクリックすることで前回又は次回の計測データ表示に画面表示を切り替えることができる。
【００４５】
初期メニューの判定推移ボタンをクリックすると、今までに記憶されている計測情報から判定結果（評価スコア）の時系列推移グラフが表示される（Ｄ２）。推移グラフは、脳の清明度を表すα％，β％ヒストグラムと思考活動度を表すβ／αヒストグラムの２つの評価スコアの推移である。図９にその表示画面の一例が示される。２つのグラフの切り替えは画面上のボタンをクリックすることで行う。グラフ表示と共にその数値も表示される。又、グラフ上には治療合否判断の参考として設定情報（２９）で設定された及第点のラインも表示される。歯科医はこの及第ラインに到達するまで入歯の調整を行い、このラインに到達した時点で治療はひとまず終了と判断する。さらに、計測日を選択し表示ボタンをクリックすることで、その計測データの前記５種類のグラフや各評価項目のスコアを表示することができる。表示範囲（計測日時や表示計測数）を画面から指定して表示の範囲を変更する事もできる。
【００４６】
計測データ表示画面で印刷ボタンをクリックすると、患者情報と共に、表示されている計測データの前記５種類のグラフと判定結果（２つの評価スコア）の印刷がカラープリンタ４０から印刷される（Ｄ３）。図８にその印刷例が示される。Ａ４用紙一枚に集約して印刷されるのでカルテと一緒に保管することができる。
【符号の説明】
【００４７】
１０  携帯型脳波計
２０  診断パソコン
２１  演算部
２２  記憶部
２３  入力部
２４  表示部
２５  通信部
２６  患者情報
２７  判定指標情報
２８  計測情報
２９  設定情報
３０  診断情報処理プログラム
３１  受信プログラム起動手段
３２  計測データ取込手段
３３  ノッチ入力手段
３４  計測データ判定手段
３５  計測データ記憶手段
３６  計測データ表示手段
３７  計測データ印刷手段
３８  判定推移表示手段
３９  マスタ登録手段
４０  カラープリンタ
【図１】
2011167271.tif 000003
【図２】
2011167271.tif 000004
【図３】
2011167271.tif 000005
【図４】
2011167271.tif 000006
【図５】
2011167271.tif 000007
【図６】
2011167271.tif 000008
【図７】
2011167271.tif 000009
【図８】
2011167271.tif 000010
【図９】
2011167271.tif 000011